(57)【要約】【課題】  通常撮影位置とマクロ撮影位置及びその間の任意位置に設定した中間位置との３箇所での撮影位置切り換えを可能とする。【解決手段】  小型撮影モジュール１はホルダ１０、弾性体２０、繰出しリング３０、レンズ４１を内蔵する鏡筒４０、操作ノブ５０から構成される。撮影モード切り換えは、繰出しリング３０を操作用ノブ５０と一体で回動することにより、ホルダ１０の多条雌ネジ１２と繰出しリング３０の多条雄ネジ３２の螺合により繰出しリング３０が光軸方向に進退することにより行う。この際、通常撮影モードではストッパ凸部５６と回り止め部１５とが係合し、マクロ撮影モードではストッパ凸部５６と回り止め部１４とが係合する。中間撮影モードでは、係合突起５８と係合受部５９が係合する。【選択図】  図２
2006039051.tif 000002
【特許請求の範囲】
【請求項１】
内径部に多条雌ネジが形成された取り付け孔を有するホルダと、レンズを組み込んだ鏡筒を内蔵して外径部に多条雄ネジが形成された繰出しリングと、この繰出しリングに一体的に固定される操作ノブとを備え、前記繰出しリングに形成する多条雄ネジを前記ホルダの多条雌ネジに螺着し、前記操作ノブによって繰出しリングを所定角度回動することによって、前記レンズを光軸方向に移動させて該レンズの焦点距離を切り換えるように構成した切換機能を備えたマクロ撮影用レンズにおいて、通常撮影位置とマクロ撮影位置及びこれら通常撮影位置とマクロ撮影位置の中間位置で前記繰出しリングを保持する保持手段を設けたことを特徴とする切換機能を備えたマクロ撮影用レンズ。
【請求項２】
前記保持手段が、前記操作ノブに形成されるストッパ凸部と、このストッパ凸部と係合して通常撮影位置とマクロ撮影位置で前記繰出しリングの回転を規制する一対の回り止め部と、これら回り止め部間に前記ストッパ凸部が位置した状態で前記繰出しリングの回転を規制するように前記ホルダと前記操作ノブに形成される係脱可能な係合受部と係合突起とから成ることを特徴とする請求項１記載の切換機能を備えたマクロ撮影用レンズ。
【請求項３】
前記操作ノブが可撓性を有するリング状に形成され、この操作ノブの内周面に係止突起部と係止爪とを形成し、前記繰出しリングの外周に前記係止突起部と対応するフック片と前記係止爪と対応する係止受部とを形成し、前記フック片を係止突起部に引っ掛けた状態で前記係止爪を係止受部の下端部に弾発的に係止することによって、前記操作ノブと繰出しリングとを一体的に固定するとともに、前記係合受部が可撓性を有する前記操作ノブの外周に形成され、該係合受部と前記ホルダに形成する前記係合突起と弾発的に係止して成ることを特徴とする請求項２記載の切換機能を備えたマクロ撮影用レンズ。
【請求項４】
前記繰出しリングは内径部にフォーカス調整用の雌ネジを備え、該雌ネジに前記鏡筒外径部に形成された雄ネジが螺合することを特徴とする請求項１〜３の何れか１項に記載の切換機能を備えたマクロ撮影用レンズ。
【発明の詳細な説明】
【技術分野】
【０００１】
本発明は、光学系機器における切換機能を備えたマクロ撮影用レンズに関し、特に通常撮影モードとマクロ撮影モード及びその中間位置での撮影モードの切り換え操作が可能となる切換機能を備えたマクロ撮影用レンズに関する。
【背景技術】
【０００２】
近年、例えば、携帯型のコンピュータやテレビ電話、携帯電話等に搭載されるＣＣＤ、ＣＭＯＳ等の固体撮像素子を利用したイメージセンサの需要が高まっている。この種のイメージセンサとして、例えば、携帯電話などに搭載するイメージセンサとして、特許文献１に示すように、撮像素子、レンズ部材、フィルタ及び絞り部材等の部品を１つのパッケージに収めて一体化した小型撮像モジュールが知られている。また、この種の小型撮像モジュールにおいて、特許文献２には、通常撮影距離より近距離側にあるマクロ撮影領域の被写体を撮影するマクロ機能を備えた小型撮像モジュールが知られている。
【０００３】
【特許文献１】特開２００３−２８９４５９号公報
【特許文献２】特開２００３−３３７２７９号公報
【発明の開示】
【発明が解決しようとする課題】
【０００４】
このような、撮像装置は、ユニット化されることで部品点数の削減やコンパクト化が図られているため、携帯電話などへの搭載も容易であるが、近年、携帯電話にカメラ機能として搭載される撮像装置は、より高度な機能が要求されるようになってきており、特許文献２で開示されている小型撮像モジュールは、通常撮影とマクロ撮影とが切換え可能である。すなわち、特許文献２で開示されている小型撮像モジュールでは、レンズを組み込んだ鏡筒を内蔵する繰出しリングの外径部に多条雄ネジが形成され、その多条雄ネジがホルダの取り付け孔の内径部に形成する多条雌ネジに螺着され、繰出しリングを所定角度回動させることによって、ホルダに対して繰出しリングと、この繰出しリングに組み込まれた鏡筒がレンズの光軸方向に移動するように構成している。そして、繰出しリングには、該繰出しリングを回動操作するための操作ノブが一体的に固定され、その操作ノブの外周に一定長さに渡って扇型のストッパ凸部が形成されるとともに、ホルダの取り付け孔の周囲にはマクロ撮影用ストッパと通常撮影用ストッパが突設されている。そして、これらマクロ撮影用ストッパと通常撮影用ストッパとの間に操作ノブのストッパ凸部が配置され、マクロ撮影用ストッパと通常撮影用ストッパで操作ノブの回動範囲を規制することによって、マクロ撮影位置と通常撮影位置でレンズの位置を保持している。このようにホルダに設けた一対のストッパに操作ノブに設けたストッパ凸部の両端を突き当ててレンズの位置を規制する構成では、マクロ撮影位置と通常撮影位置でしかレンズを固定することができず、マクロ撮影位置と通常撮影位置以外でレンズの位置を規制することは困難である。
【０００５】
本発明は、前記事情に鑑みなされたもので、通常撮影モードとマクロ撮影モードの切り換えのみならず通常撮影モードとマクロ撮影モードと間の任意位置で撮影モードの切り換えが可能な切換機能を備えたマクロ撮影用レンズを提供することを目的とする。
【課題を解決するための手段】
【０００６】
本発明の請求項１記載の切換機能を備えたマクロ撮影用レンズは、内径部に多条雌ネジが形成された取り付け孔を有するホルダと、レンズを組み込んだ鏡筒を内蔵して外径部に多条雄ネジが形成された繰出しリングと、この繰出しリングに一体的に固定される操作ノブとを備え、前記繰出しリングに形成する多条雄ネジを前記ホルダの多条雌ネジに螺着し、前記操作ノブによって繰出しリングを所定角度回動することによって、前記レンズを光軸方向に移動させて該レンズの焦点距離を切り換えるように構成した切換機能を備えたマクロ撮影用レンズにおいて、通常撮影位置とマクロ撮影位置及びこれら通常撮影位置とマクロ撮影位置の中間位置で前記繰出しリングを保持する保持手段を設けたことを特徴とする。
【０００７】
本発明の請求項２記載の切換機能を備えたマクロ撮影用レンズは、請求項１記載の切換機能を備えたマクロ撮影用レンズにおいて、前記保持手段が、前記操作ノブに形成されるストッパ凸部と、このストッパ凸部と係合して通常撮影位置とマクロ撮影位置で前記繰出しリングの回転を規制する一対の回り止め部と、これら回り止め部の中間位置に前記ストッパ凸部が位置した状態で前記繰出しリングの回転を規制するように前記ホルダと前記操作ノブに形成される係脱可能な係合受部と係合突起とから成ることを特徴とする。
【０００８】
本発明の請求項３記載の切換機能を備えたマクロ撮影用レンズは、請求項２記載の切換機能を備えたマクロ撮影用レンズにおいて、前記操作ノブが可撓性を有するリング状に形成され、この操作ノブの内周面に係止突起部と係止爪とを形成し、前記繰出しリングの外周に前記係止突起部と対応するフック片と前記係止爪と対応する係止受部とを形成し、前記フック片を係止突起部に引っ掛けた状態で前記係止爪を係止受部の下端部に弾発的に係止することによって、前記操作ノブと繰出しリングとを一体的に固定するとともに、前記係合受部が可撓性を有する前記操作ノブの外周に形成され、該係合受部と前記ホルダに形成する前記係合突起と弾発的に係止して成ることを特徴とする。
【０００９】
本発明の請求項４記載の切換機能を備えたマクロ撮影用レンズは、請求項１〜３の何れか１項に記載の切換機能を備えたマクロ撮影用レンズにおいて、前記繰出しリングは内径部にフォーカス調整用の雌ネジを備え、該雌ネジに前記鏡筒外径部に形成された雄ネジが螺合することを特徴とする。
【発明の効果】
【００１０】
本発明の請求項１記載の切換機能を備えたマクロ撮影用レンズによれば、内径部に多条雌ネジが形成された取り付け孔を有するホルダと、レンズを組み込んだ鏡筒を内蔵して外径部に多条雄ネジが形成された繰出しリングと、この繰出しリングに一体的に固定される操作ノブとを備え、前記繰出しリングに形成する多条雄ネジを前記ホルダの多条雌ネジに螺着し、前記操作ノブによって繰出しリングを所定角度回動することによって、前記レンズを光軸方向に移動させて該レンズの焦点距離を切り換えるように構成した切換機能を備えたマクロ撮影用レンズにおいて、通常撮影位置とマクロ撮影位置及びこれら通常撮影位置とマクロ撮影位置の中間位置で前記繰出しリングを保持する保持手段を設けたものであるから、通常撮影モードとマクロ撮影モードとの切り換えのみならず、これら通常撮影モードとマクロ撮影モードの中間位置での撮影モードが可能となる。
【００１１】
本発明の請求項２記載の小型撮像モジュールによれば、請求項１記載の切換機能を備えたマクロ撮影用レンズにおいて、前記保持手段が、前記操作ノブに形成されるストッパ凸部と、このストッパ凸部と係合して通常撮影位置とマクロ撮影位置で前記繰出しリングの回転を規制する一対の回り止め部と、これら回り止め部の中間位置に前記ストッパ凸部が位置した状態で前記繰出しリングの回転を規制するように前記ホルダと前記操作ノブに形成される係脱可能な係合受部と係合突起とから成るものであるから、通常撮影位置と接写撮影位置との間の任意位置で係合突起と係合受部とが係合し、中間撮影モードの焦点の切換を行うことができる。この中間撮影位置から操作ノブを時計方向又は反時計方向に回動すれば、ストッパ凸部が回り止め部の何れかに係合して通常撮影位置又は接写撮影位置でレンズが位置決め保持され、通常撮影位置又は接写撮影位置の焦点距離が得られる。
【００１２】
本発明の請求項３記載の切換機能を備えたマクロ撮影用レンズによれば、請求項２記載の切換機能を備えたマクロ撮影用レンズにおいて、前記操作ノブが可撓性を有するリング状に形成され、この操作ノブの内周面に係止突起部と係止爪とを形成し、前記繰出しリングの外周に前記係止突起部と対応するフック片と前記係止爪と対応する係止受部とを形成し、前記フック片を係止突起部に引っ掛けた状態で前記係止爪を係止受部の下端部に弾発的に係止することによって、前記操作ノブと繰出しリングとを一体的に固定するとともに、前記係合受部が可撓性を有する前記操作ノブの外周に形成され、該係合受部と前記ホルダに形成する前記係合突起と弾発的に係止して成るものであるから、操作ノブ自体が弾性を有し、操作ノブの係止爪を繰出しリングの係止受部に係止する際、操作ノブが外側に撓んで操作ノブが弾性復帰して係止爪が係止受部に弾発的に係止されることになるから、例えば、フック自体に弾性を持たせ、これを係止孔に係止するような複雑な形状とする必要がないから、操作ノブ及び繰出しリングの形状を単純化することが可能となる。これにより、操作ノブ及び繰出しリングの成形用金型の構造も簡略化でき、操作ノブ及び繰出しリングの成形加工も容易となり、製造コストを削減することが可能となる。また、ホルダに形成する係合突起と操作ノブに形成する係合受部とを弾発的に係合させるにより、レンズを通常撮影位置と接写撮影位置との間の任意位置で保持する際、繰出しリングがガタ付くことなく、ホルダに対して確実に保持することが可能となる。
【００１３】
本発明の請求項４記載の切換機能を備えたマクロ撮影用レンズによれば、請求項１〜３の何れか１項に記載の切換機能を備えたマクロ撮影用レンズにおいて、前記繰出しリングは内径部にフォーカス調整用の雌ネジを備え、該雌ネジに前記鏡筒外径部に形成された雄ネジが螺合するものであるから、鏡筒に組付けたレンズと撮像素子との焦点距離を調整することができる。
【発明を実施するための最良の形態】
【００１４】
本発明の実施の形態を実施例に基づき図面を参照して説明する。図１は小型撮像モジュールの分解斜視図、図２は小型撮像モジュールの平面図、図３は中間撮影位置で保持した状態を示す小型撮像モジュールの断面図、図４は図２のＡ−Ａ線断面図である。同図に示すように、小型撮像モジュール１は、ＣＣＤ等の撮像素子が組込まれたホルダ１０、ホルダ１０に組み込まれる部材を上方に押し上げるための弾性体２０、繰出しリング３０、レンズが組込まれた鏡筒４０、操作ノブ５０等から構成されている。
【００１５】
ホルダ１０は、小型撮像モジュールのベースであって、中央に構成部材を組み込む取り付け孔１１を有し、この取り付け孔１１の内径部に、例えば３条の多条雌ネジ１２が形成されるとともに、底部には弾性体２０を支持する弾性体支持部１３が形成され、さらに、底部中央にＣＣＤ等からなる撮像素子６０を保持するように構成されている。また、ホルダ１０の取り付け孔１１の周囲には繰出しリング３０の回動範囲を規制する一対の回り止め部１４，１５が設けられている。弾性体２０は、径の異なる内側リング２１及び外側リング２２が同心状に連結部材２３で接続され、全体が凹状に形成された二重リング構造で、内側リング２１がホルダ１０の取り付け孔１１の弾性体支持部１３に支持され、外側リング２２が後述する繰出しリング３０の下端に当接する荷重部分となっている。
【００１６】
繰出しリング３０は、リング状部分の外径部にホルダ１０の取り付け孔１１の内径部に形成された多条雌ネジ１２と螺合する例えば３条からなる多条雄ネジ３２が形成され、リング状部分の内径部には鏡筒４０に形成された焦点調整用雄ネジ４２と螺合する焦点調整用雌ネジ３３が形成されている。また、繰出しリング３０の上端両側に左右一対の扇状の嵌合凸部３４ａ，３４ｂを水平方向に突設し、該嵌合凸部３４ａ，３４ｂと連続するように前記操作ノブ５０を支持するフランジ部３５ａ，３５ｂを形成するとともに、前記嵌合凸部３４ａ，３４ｂの間に位置して矩形状のフック片３７を形成している。さらに、嵌合凸部３４ａ，３４ｂの外端部には、後述する係止爪５２ａ，５２ｂを誘い込むテーパ状の切欠き部５３ａ，５３ｂが形成され、その切欠き部５３ａ，５３ｂと対向して前記嵌合凸部３４ａ，３４ｂの裏面側を部分的に切り欠くことによって係止爪５２ａ，５２ｂが係止される段差状の係止受部５４ａ，５４ｂを形成している。
【００１７】
鏡筒４０は、レンズ４１を内蔵し、外径部に繰出しリング３０に形成された焦点調整用雌ネジ３３と螺合する焦点調整用雄ネジ４２が形成されている。これら焦点調整用雌ネジ３３と焦点調整用雄ネジ４２との螺合により、鏡筒４０を回動すると、鏡筒４０は繰出しリング３０に対して光軸方向に進退移動する。このようにして、鏡筒４０に組み込まれたレンズ４１と撮像素子６０との焦点距離を調整した後、接着剤などによって、鏡筒４０と繰出しリング３０とを一体的に固定している。
【００１８】
操作ノブ５０は、リング状であって、前記繰出しリング３０に形成された嵌合凸部３４ａ，３４ｂと嵌合する嵌合凹部５１ａ，５１ｂと前記フック片３７と嵌合する嵌合凹部５１ｃとが形成されている。その嵌合凹部５１ａ，５１ｂの内壁面には前記係止受部５４ａ，５４ｂと対応する係止爪５２ａ，５２ｂが形成されるとともに、前記フック片３７と嵌合する嵌合凹部５１ｃには、フック片３７の外端縁を引っ掛けて係止する係止突起部５２ｃが形成されている。また、操作ノブ５０の一端には撮影切り換え操作部５５が外方に突設して設けられ、この撮影切り換え操作部５５の基部に前記回り止め部１４，１５と係合するストッパ凸部５６が操作ノブ５０の円周の一定長さに亘って形成されている。このストッパ凸部５６の一端に形成するマクロ撮影ストッパ部５６ａが一方の回り止め部１４に当接し、ストッパ凸部５６の他端に形成する通常撮影ストッパ部５６ｂが他方の回り止め部１５と当接することによって、繰出しリング３０はマクロ撮影位置と通常撮影位置の間に位置して回動範囲が規制される。また、前記嵌合凹部５１ａ，５１ｂの内壁面には前記繰出しリング３０に形成するフランジ部３５ａ，３５ｂと対応して舌片状の受部５７ａと、フランジ状の受部５７ｂが突設され、前記繰出しリング３０に操作ノブ５０を組付けた際、繰出しリング３０に形成するフランジ部３５ａ，３５ｂ上に操作ノブ５０に形成する受部５７ａ，５７ｂが載置される。なお、前記操作ノブ５０の外周には、前記ストッパ凸部５６の対角線上に位置して突状部５９ａが形成され、この突状部５９ａをほぼＶ字状に切り欠いて前記通常撮影位置とマクロ撮影位置と間の任意位置で繰出しリング３０を保持するための係合受部５９を形成している。また、その係合受部５９が形成される部分の操作ノブ５０と前記繰出しリング３０との間は隙間Ｓが形成されている。
【００１９】
前記ホルダ１０には、前記操作ノブ５０に形成する係合受部５９と弾発的に係合するほぼ三角状の係合突起５８が突設され、この係合突起５８と前記係合受部５９との係合によって通常撮影位置とマクロ撮影位置との中間位置で前記レンズ４１を光軸方向に位置決め保持するものであって、これら前記回り止め部１４，１５とストッパ凸部５６及び係合突起５８と係合受部５９によって通常撮影位置、マクロ撮影位置及びこれら通常撮影位置とマクロ撮影位置の中間位置でレンズ４１を光軸方向に位置決め保持する保持手段を構成している。
【００２０】
以上のように構成される本実施例において、各構成要素の組立構成について説明する。まず、ホルダ１０の底部にＣＣＤ等からなる撮像素子６０を適宜の手段で保持し、取り付け孔１１の弾性体支持部１３に弾性体２０の内側リング２１を載置する。このように、ホルダ１０と繰出しリング３０間に弾性体２０を介在させ、ホルダ１０の弾性体支持部１３で弾性体２０の内側リング２１を支持し、弾性体２０の外側リング２２で繰出しリング３０の下端部を支持する。この状態で予め設定された位置関係に組み込まれた繰出しリング３０と鏡胴４０の前組立品（焦点距離微調整前で接着されていない状態）をホルダ１０の多条ネジ１２に設定された位置関係と成るようにネジ込んだ後、前記操作ノブ５０を斜めに傾けて前記操作ノブ５０の嵌合凹部５１ｃに形成する係止突起部５２の上面に前記繰出しリング３０のフック片３７を引っ掛けるようにしてフック片３７を操作ノブ５０の嵌合凹部５１ｃに嵌め合わる。次に操作ノブ５０の嵌合凹部５１ａ，５１ｂを繰出しリング３０の嵌合凸部３４ａ，３４ｂに嵌合させながら下側へ押し込む。この時、操作ノブ５０の係止爪５２ａ，５２ｂが嵌合凸部３４ａ，３４ｂに形成する切欠き部５３ａ，５３ｂに沿って案内され、係止受部５４ａ，５４ｂを乗り超えて、操作ノブ５０の係止爪５２ａ，５２ｂが繰出しリング３０の係止受部５４ａ，５４ｂの裏面に係止される。これにより、操作ノブ５０は、繰出しリング３０に形成するフランジ部３５ａ，３５ｂに操作ノブ５０に形成する受部５７ａ，５７ｂが載置された状態で繰り出しリング３０と操作ノブ５０とが一体的に固定される。このようにしてホルダ１０に繰出しリング３０と鏡胴４０を組み込み、操作ノブ５０が取り付けられた後、操作ノブ５０を通常撮影位置方向へ回転させ、ストッパ凸部５６ｂをホルダ１０の回り止め部１５とが係合した状態で保持し、この状態で鏡胴４０に形成された焦点調整用雄ネジ４２を繰出しリング３０に形成された焦点調整用雌ネジ３３と螺合して鏡胴４０に組み込まれたレンズ４１と撮影素子６０との焦点距離を微調整した後、接着剤などによって、鏡胴４０と繰出しリング３０とを一体的に固定する。
【００２１】
その後、図２において一点鎖線で示すように、繰出しリング３０に設けられた係合突起５８と係合受部５９と係合した状態から操作ノブ５０によって繰り出しリング３０を反時計方向に回転すれば、係合突起５８から係合受部５９が抜け出し、ストッパ凸部５６の一端に形成するマクロ撮影ストッパ部５６ａが一方の回り止め部１４に当接して繰出しリング３０、ひいては繰出しリング３０に組み込まれた鏡筒４０のレンズ４１がマクロ撮影位置で位置決め保持される。また、前記係合突起５８と係合受部５９と係合した状態から操作ノブ５０によって繰り出しリング３０を時計方向に回転すれば、ストッパ凸部５６の他端に形成する通常撮影ストッパ部５６ｂが他方の回り止め部１５と当接し、鏡筒４０のレンズ４１が通常撮影位置で位置決め保持されることになる。また、係合受部５９が形成される部分は、操作ノブ５０と前記繰出しリング３０との間に隙間Ｓが形成されているため、係合突起５８が操作ノブ５０に形成する突状部５９ａを乗り越える際、操作ノブ５０が内側に撓んで操作ノブ５０が弾性復帰する。これにより、繰出しリング３０に設けられた係合受部５９とホルダ１０に設けられた係合突起５８とが弾発的に係合することから、レンズ４１を中間撮影位置で位置決め保持する際、繰出しリング３０がガタ付くことなく、ホルダ１０に対して確実に保持される。
【００２２】
以上のように、操作ノブ５０を指で回転すれば、この操作ノブ５０と一体化した繰出しリング３０に回転を伝え、繰出しリング３０は多条雌ネジ１２に沿って回転して繰出しリング３０に装着される鏡筒４０は、光軸方向に移動して通常撮影位置と接写撮影位置及びその通常撮影位置と接写撮影位置の中間位置で係合突起５８と係合受部５９とが弾発的に係合し、中間撮影モードの焦点の切換を行うことができる。これにより、通常撮影モードと接写撮影モードしかない従来の小型撮像モジュールに比べて機能的にも優れる。また、加工精度や磨耗等により多条ネジ部分にガタが発生したとしても、弾性体２０により繰り出しリング３０は常に一定方向に荷重が掛かっているため、ガタ付きによる撮影性能の低下を回避することができる。また、各構成部品はいずれも射出成形にて製作が可能であり、成形加工が容易であるとともに、ホルダ１０と操作ノブ５０に通常撮影モードと接写撮影モード及び中間撮影モードで保持するための回り止め部１４，１５とストッパ凸部５６及び係合突起５８と係合受部５９をコンパクトに形成することが可能であり、小型撮像モジュールの外形サイズを小さく抑えることが可能となり、コンパクトな小型撮像モジュールを提供することができる。また、操作ノブ５０をリング状として操作ノブ５０自体に可撓性を持たせるとともに、この操作ノブ５０に係止爪５２ａ，５２ｂとフック片３７を形成し、フック片３７を係止した状態で操作ノブ５０を外側に撓ませて操作ノブ５０の係止爪５２ａ，５２ｂを繰出しリング３０の係止受部５４ａ，５４ｂに係止するように形成しているので、例えば、フック自体に弾性を持たせ、これを係止孔に係止するといった複雑な形状とする必要がないから、操作ノブ５０及び繰出しリング３０の形状を単純化することが可能となる。これにより、操作ノブ５０及び繰出しリング３０の成形用金型の構造も簡略化でき、操作ノブ５０及び繰出しリング３０の成形加工も容易となるから、その製造コストを削減することが可能となる。しかも、係合受部５９が形成される部分は、操作ノブ５０と前記繰出しリング３０との間に隙間Ｓが形成され、係合突起５８が操作ノブ５０に形成する突状部５９ａを乗り越える際、操作ノブ５０が内側に撓んで操作ノブ５０が弾性復帰して繰出しリング３０に設けられた係合受部５９とホルダ１０に設けられた係合突起５８とが弾発的に係合する。このように、係合受部５９と係合突起５８とを弾発的に係合することによって、レンズ４１を中間撮影位置で位置決め保持する際、繰出しリング３０がガタ付くことなく、ホルダ１０に対して確実に保持することができる。
【００２３】
以上、本発明の実施例について詳述したが、本発明は、前記実施例に限定されるものではなく、本発明の要旨の範囲内で種々の変形実施が可能である。例えば、レンズを構成するレンズの枚数や形状あるいはホルダの形状や各構成部品の取付構造などは適宜選定すればよい。また、通常撮影位置、マクロ撮影位置及びこれら通常撮影位置とマクロ撮影位置の中間位置でレンズを光軸方向に位置決め保持する保持手段も前記実施例に限定されるものではなく、適宜選定すればよい。
【図面の簡単な説明】
【００２４】
【図１】本発明の一実施例を示す小型撮像モジュールの分解斜視図である。
【図２】同上、小型撮像モジュールの平面図である。
【図３】同上、中間撮影位置で保持した状態を示す小型撮像モジュールの断面図である。
【図４】同上、図２のＡ−Ａ線断面図である。
【符号の説明】
【００２５】
１０    ホルダ
１１    取り付け孔
１２    多条雌ネジ
１４，１５  回り止め部（保持手段）
２０    弾性体
３０    繰出しリング
３２    多条雄ネジ
４０    鏡筒
４１    レンズ
４２    焦点調整用雄ネジ
５０  操作ノブ
５２ａ，５２ｂ  係止爪
５２ｃ  係止突起部
５４ａ，５４ｂ  係止受部
５６  ストッパ凸部（保持手段）
５８  係合突起（保持手段）
５９  係合受部（保持手段）
【図１】
2006039051.tif 000003
【図２】
2006039051.tif 000004
【図３】
2006039051.tif 000005
【図４】
2006039051.tif 000006